(57)【要約】      （修正有）【課題】様々な寸法の消火器を保持できる設置の簡便な消火器保持具を提供する。【解決手段】自立する消火器６０を保持する消火器保持具であって、前記消火器が置かれる基台と、前記消火器を保持する保持部材とを備え、前記保持部材が前記消火器を中に収めるベルト１０と該ベルトを壁面５０へ接続する接続部材３０を有し、前記接続部材が前記壁面へ固定される接着層を有する。【選択図】図１
0003225122.tif 000002
【実用新案登録請求の範囲】
【請求項１】
自立する消火器を保持する消火器保持具であって、前記消火器が置かれる基台と、前記消火器を保持する保持部材とを備え、
前記保持部材が前記消火器を保持するベルトと該ベルトを建物や什器の壁面へ接続する接続部材を有し、
前記接続部材が前記壁面へ固定される接着層を有することを特徴とする消火器保持具。
【請求項２】
前記ベルトが面ファスナーを備えていることを特徴とする請求項１に記載の消火器保持具。
【請求項３】
前記面ファスナーが前記ベルトの中間部で一面がフック面、他面がループ面となるように接合されていることを特徴とする請求項２に記載の消火器保持具。
【請求項４】
前記ベルトの端部が赤色系にされていることを特徴とする請求項1乃至３の何れかに記載の消火器保持具。
【請求項５】
前記基台の上面に滑り止め部材が設けられることを特徴とする請求項1乃至４の何れかに記載の消火器保持具。
【請求項６】
前記基台の下面に接着部材が設けられることを特徴とする請求項1乃至５の何れかに記載の消火器保持具。
【請求項７】
前記基台のほぼ中央部に前記基台を回転剥離するための穴が設けられることを特徴とする請求項1乃至６の何れかに記載の消火器保持具。
【考案の詳細な説明】
【技術分野】
【０００１】
本考案は、消火器を簡便に保持する消火器保持具に関する。
【背景技術】
【０００２】
従来、消火器を保持する器具が種々提案されている。
【０００３】
たとえば、特許文献１に開示されている組み立て式消火器スタンドは３枚の板を互いに直角に組み立てて自立させ、その中に消火器を収めるものである。
【０００４】
特許文献２及び特許文献３には埋め込み式の消火器ケースが開示されている。
【先行技術文献】
【特許文献】
【０００５】
【特許文献１】特開２０１５−５８２６４
【特許文献２】特開２００２−３３６３６９
【特許文献３】特開２００２−８５５７９
【考案の概要】
【考案が解決しようとする課題】
【０００６】
しかしながら、引用文献１に開示された考案は３枚の部材を用意して５か所で結合する手間が必要になるという問題点がある。
【０００７】
引用文献２及び３に開示された考案は、ともに壁に埋め込み前面に扉を用意するなど構造が複雑で埋め込み工事が必要になるという問題点がある。またケースの大きさで決まる収納可能な消火器の寸法の範囲が狭いという問題点もある。
【０００８】
この考案の目的は、上述した事情に鑑みて様々な寸法の消火器を保持できる設置の簡便な消火器保持具を提供することである。
【課題を解決するための手段】
【０００９】
請求項１に記載の消火器保持具は、自立する消火器を保持する消火器保持具であって、前記消火器が置かれる基台と、前記消火器を保持する保持部材とを備え、前記保持部材が前記消火器を保持するベルトと該ベルトを建物や什器の壁面へ接続する接続部材を有し、前記接続部材が前記壁面へ固定される接着層を有することを特徴とする。
【００１０】
消火器が置かれる基台と、前記消火器を保持する保持部材とを備え、前記保持部材が前記消火器を保持するベルトと該ベルトを建物や什器の壁面へ接続する接続部材を有し、前記接続部材が前記壁面へ固定される接着層を有するので大きさや高さの異なる消火器を容易に設置することができる。
【００１１】
請求項２に記載の消火器保持具は、前記ベルトが面ファスナーを備えていることを特徴とする請求項１に記載の消火器保持具である。
【００１２】
前記ベルトが面ファスナーを備えているので、設置が簡便であるとともに取り外しも容易であって安価な製造が可能になる。
【００１３】
請求項３に記載の消火器保持具は、前記面ファスナーが前記ベルトの中間部で一面がフック面、他面がループ面となるように接合されていることを特徴とする請求項１又は２に記載の消火器保持具である。
【００１４】
前記面ファスナーが前記ベルトの中間部で一面がフック面、他面がループ面となるように接合されているのでリング形状にしたときに合わせ面で容易に結合することができる。
【００１５】
請求項４に記載の消火器保持具は、前記ベルトの端部が赤色系にされていることを特徴とする請求項１又は３に記載の消火器保持具である。
【００１６】
前記ベルトの端部が赤色系にされているのでベルトの端部の位置が明確になり特に取り外すときに確実にベルトの端部を認識できる。
【００１７】
請求項５に記載の消火器保持具は、請求項１乃至４何れか１項に記載の消火器保持具において、前記基台の上面に滑り止め部材が設けられることを特徴とする。
【００１８】
基台の上面に滑り止め部材が設けられるので、地震などで消火器が置かれた場所が揺れるときに消火器の下部と保持部材で保持される上部とが同じ様に動くので消火器が斜めにならず倒れ難い。
【００１９】
請求項６に記載の消火器保持具は、請求項１乃至５何れか１項に記載の消火器保持具において、前記基台の下面に接着部材が設けられることを特徴とする。
【００２０】
基台の下面に接着部材が設けられるので、消火器保持具が安定に床などへ設置され消火器が安定に保持される。
【００２１】
請求項７に記載の消火器保持具は、請求項１乃至６何れか１項に記載の消火器保持具において、前記基台のほぼ中央部に前記基台を回転剥離するための穴が設けられることを特徴とする。
【００２２】
基台のほぼ中央部に前記基台を回転剥離するための穴が設けられるので消火器保持具を外す際に、基台に設けられた穴へ剥離治具を装着して回転することで容易に消火器保持具を床から外すことができる。
【図面の簡単な説明】
【００２３】
【図１】本考案に係る消火器保持具により消火器を設置した場合の説明図である。
【図２】（Ａ）保持部材の平面図、（Ｂ）保持部材の断面図である。
【図３】接続部材の説明図である。
【図４】第１実施例の基台の説明図である。
【図５】（Ａ）第２実施例の基台板及び（Ｂ）基台マットの説明図である。
【考案を実施するための形態】
【００２４】
以下、本考案の消火器保持具１０の実施形態を図面に基づいて説明する。図１を用いて本考案に係る消火器保持具へ消火器を設置した様子を説明する。消火器保持具１０は床４０などに置かれて消火器を載せる基台２０と消火器の転倒を防止する保持部材となるベルト及びベルト１０を壁などに固定する保持部材３０により構成される。
【００２５】
図１（Ａ）は消火器６０単体を壁に接着した保持部材３０とベルト１０で保持する場合である。構成部材が少なく安価に消火器を保持することができる。図１（Ｂ）は消火器スタンド２５に置かれた消火器６０を壁に接着した保持部材３０とベルト１０で保持する場合である。
【００２６】
ベルト１０は接続部材３０により建物や什器の壁面へ接続される。接続部材３０は壁面へ接着により固定される。接着は接着剤を用いても良いが、両面テープを用いることが好適である。
【００２７】
消火器を消火器保持具へ設置する際は、設置場所へ基台２０を置き、接続部材の高さを消火器の高さに合わせて壁などへ固定して、ベルト１０の中へ自立する消火器を収めてベルトを面ファスナーで接続して消火器を設置する。
【００２８】
図２（Ａ）はベルト１０の平面図である。ベルトは面ファスナーを備えており中間部で一面をフック面に他面をループ面になるように構成する。二種類のベルトを縫製などで接合すると接続部１２になる。図２（Ｂ）はベルトの断面図である。長さＬａのベルトの上向きの一面をフック面とすると、長さＬｂのループ面は下向きの他面になるように接続部１２で接続する。また、ループ面の端部を２重に折り曲げて赤や橙などの赤色系に染めてベルトの端部１４の位置を見やすくする。ここで、フック面とループ面を入れ替えてもよいことはもちろんである。
【００２９】
消火器を取り外すときは赤色系にされた端部を引っ張ることで面ファスナーが外れるので消火器の取り外しが容易にできる。
【００３０】
図３に示す保持部材３０はベース３２に立設されベルトを通す隙間を有するベルト通し部３１と接着層３３を有している。消火器を固定する壁などの近傍に置きベルトの位置を調節してこの保持部材を壁面などへ接着層で固定する。接着層は接着剤を用いていてもよいが両面テープを用いることが好適である。
【００３１】
図４は基台の一実施例となるマットである。マットの表面は凹凸模様などの滑り止め加工がされておりマット上の消火器が地震時に滑り難くなっている。大きさは保持対象となる消火器の大きさによるが家庭用や事務室用には２０ｃｍ弱が好適である。
【００３２】
図５に基台２０の構成を示す。基台のベース２２は剛性の高い材料として塩ビ材や金属が用いられ、上面となる表面に摩擦の大きい滑り止め部材２０が設けられ下面となる底面に接着部材が設けられる。基台は底面の接着部材により床などへ固定されるので表面の滑り止め部材２０により地震などによる揺れに対して消火器が床の動きに追随しやすい。そして消火器の筒を収めるベルト１０は壁面に固定される接続部材の動きに追随するので消火器が安定する。
【００３３】
ここで消火器保持具を設置場所から外す際に用いる回転剥離について説明する。基台２２と床面との間の接着は接着剤や両面テープにより強固に行われており上方向に力を加えても剥がすことが難しい。しかしながら、接着面の接着力は剪断力に対しては弱いことに着目して基台の中央部の回転中心となる場所へ剥離治具を装着する回転剥離用穴を設けた。この孔へＬレンチなどの剥離治具を嵌めて水平面内で回転させることで容易に消火器保持具を床などの設置面から外すことができる。
【００３４】
本考案に係る消火器保持具１０による消火器の保持性能の試験をしたところ、震度６強までの地震については消火器が安定に保持された。
【００３５】
本考案により様々な寸法の消火器を大きな外部振動に対しても安定し手保持する消火器保持具を提供することができる。
【符号の説明】
【００３６】
１０  ベルト
１１  面ファスナーのフック面（ループ面）
１２  接続部
１３  面ファスナーのフック面（フック面）
１４  赤色系にされた端部
２０  基台
２１  マット
２２  基台板
２３  回転剥離用孔
３０  接続部材
３１  ベルト通し部
３２  ベース
３３  接着層
２１  接着層
４０  床
５０  壁面
６０  消火器
【図１】
0003225122.tif 000003
【図２】
0003225122.tif 000004
【図３】
0003225122.tif 000005
【図４】
0003225122.tif 000006
【図５】
0003225122.tif 000007